【手続補正書】
【提出日】令和3年11月15日(2021.11.15)
【手続補正１】
【補正対象書類名】明細書
【補正対象項目名】００１２
【補正方法】変更
【補正の内容】
【００１２】
本開示または関連技術の実施形態をより明確に示すために、実施形態において詳述される以下の図面を簡単に説明する。図面が本開示のいくつかの実施形態にすぎないことは明らかであり、この分野の当業者は、前提を払うことなく、これらの図に従って他の図を得ることができる。
【手続補正２】
【補正対象書類名】明細書
【補正対象項目名】００２０
【補正方法】変更
【補正の内容】
【００２０】
いくつかの実施形態では、ユーザ装置１０およびネットワークノード２０の両方がＩＭ干渉が発生することを検出することが可能である場合、トランシーバ１３は、ネットワークノード２０への単一のアップリンク送信を示すための信号を受信するか、またはネットワークノード２０からユーザ装置１０を単一のアップリンク送信モードに設定するための信号を受信するように構成される。
【手続補正３】
【補正対象書類名】明細書
【補正対象項目名】００２４
【補正方法】変更
【補正の内容】
【００２４】
いくつかの実施形態では、プロセッサ２１は、トランシーバ２３を制御して、ユーザ装置１０からネットワークノード２０への単一のアップリンク送信を示すために、またはユーザ装置１０を単一のアップリンク送信モードで構成するために、ユーザ装置１０に信号を送信するように構成される。
【手続補正４】
【補正対象書類名】明細書
【補正対象項目名】００３３
【補正方法】変更
【補正の内容】
【００３３】
いくつかの実施形態では、ＩＭ干渉を解決するために１つの方法が提供され、複数のアップリンクリンクを有するユーザ装置１０は、異なるアップリンクリンク間で切り替えることが可能であり、その結果、一度に１つのアップリンクリンクだけが維持される。ユーザ装置１０が一度に１つのアップリンクリンクしか保持しない場合、ＩＭ干渉は存在しない。ＩＭ干渉の有無は、アップリング送信帯域及びダウンリンク送信帯域に依存し、ネットワークノード２０及びユーザ装置１０の双方がＩＭ干渉の存在を認識できることが必要である。本開示の実施形態は、この問題を解決することができ、ネットワークノード２０およびユーザ装置１０の両方がＩＭ干渉の存在を如何に認識できるかを提供する。
【手続補正５】
【補正対象書類名】明細書
【補正対象項目名】００３５
【補正方法】変更
【補正の内容】
【００３５】
いくつかの実施形態において、ネットワークノード２０側において、ＩＭ干渉が発生するか否かを判断するために、基地局などのＬＴＥおよびＮＲネットワークノードが、スケジューリング情報を交換する必要がある。したがって、ネットワークノード２０側でも、ユーザ装置１０側と同様の実現可能性の問題がある。
【手続補正６】
【補正対象書類名】明細書
【補正対象項目名】００３６
【補正方法】変更
【補正の内容】
【００３６】
ユーザ装置１０およびネットワークノード２０側の実現可能性の問題のような上記の問題を解決するための、いくつかの実施形態は以下の通りである。
【手続補正７】
【補正対象書類名】明細書
【補正対象項目名】００３８
【補正方法】変更
【補正の内容】
【００３８】
２．ネットワークノード２０は、ＩＭ干渉が発生するかもしれないことを検出することが可能であるかどうかを、同様に、ユーザ装置１０に信号送信することができる。
【手続補正８】
【補正対象書類名】特許請求の範囲
【補正対象項目名】全文
【補正方法】変更
【補正の内容】
【特許請求の範囲】
【請求項１】
無線通信システムにおける干渉を識別するためのユーザ装置（１０）であって、
メモリ（１２）と、
トランシーバ（１３）と、
前記メモリ（１２）および前記トランシーバ（１３）に結合されたプロセッサ（１１）と、
を備えており、
前記プロセッサ（１１）は、
前記トランシーバ（１３）を制御して、ネットワークノードからスケジューリング情報を受信し、
前記スケジューリング情報に従って、相互変調（ＩＭ：Ｉｎｔｅｒｍｏｄｕｌａｔｉｏｎ）干渉が発生するかどうかを検出する、
ように構成されるユーザ装置。
【請求項２】
前記トランシーバ（１３）は、前記プロセッサ（１１）が前記ＩＭ干渉が発生することを検出することが可能であるかどうかのレポートを、前記ネットワークノードに送信するように構成される、請求項１に記載のユーザ装置。
【請求項３】
前記レポートは、専用信号を介して送信される、請求項２に記載のユーザ装置。
【請求項４】
前記専用信号は、無線リソース制御（ＲＲＣ：ＲａｄｉｏＲｅｓｏｕｒｃｅＣｏｎｔｒｏｌ）シグナリングである、請求項３に記載のユーザ装置。
【請求項５】
前記トランシーバ（１３）は、前記ネットワークノードから信号を受信するようにさらに構成されており、前記信号は、前記ネットワークノードが前記ＩＭ干渉が発生することを検出することが可能であることを示す、請求項１から４のいずれか一項に記載のユーザ装置。
【請求項６】
前記ネットワークノードから受信された前記信号は、専用信号又は共通信号である、請求項５に記載のユーザ装置。
【請求項７】
前記プロセッサ（１１）は、前記トランシーバ（１３）を制御して、前記ネットワークノードへの単一のアップリンク送信を示すための信号を受信するように、または前記ユーザ装置が単一のアップリンク送信モードにあることを示すための信号を受信するように構成される、請求項２から６のいずれか一項に記載のユーザ装置。
【請求項８】
前記ユーザ装置および前記ネットワークノードの両方が前記ＩＭ干渉が発生することを検出することが可能である場合、前記トランシーバ（１３）は、前記ネットワークノードへの単一のアップリンク送信を示すための信号を受信するか、または前記ネットワークノードから前記ユーザ装置を単一のアップリンク送信モードに設定するための信号を受信するように構成される、請求項１〜７のいずれか一項に記載のユーザ装置。
【請求項９】
無線通信システムにおけるユーザ装置の干渉を識別するための方法であって、
ネットワークノードからスケジューリング情報を受信すること（２０２）と、
前記スケジューリング情報に従って、相互変調（ＩＭ：Ｉｎｔｅｒｍｏｄｕｌａｔｉｏｎ）干渉が発生するかどうかを検出すること（２０４）とを、備える方法。
【請求項１０】
前記ユーザ装置が前記ＩＭ干渉が発生することを検出することが可能であるかどうかのレポートを、前記ネットワークノードに送信することをさらに備え、
前記レポートが、専用信号を介して送信され、
前記専用信号は、無線リソース制御（ＲＲＣ：ＲａｄｉｏＲｅｓｏｕｒｃｅＣｏｎｔｒｏｌ）シグナリングである、請求項９に記載の方法。
【請求項１１】
前記ネットワークノードから信号を受信することをさらに備えており、前記信号は、前記ネットワークノードが前記ＩＭ干渉が発生することを検出することが可能であることを示し、
前記ネットワークノードから受信された前記信号は、専用信号または共通信号である、請求項９または１０に記載の方法。
【請求項１２】
ネットワークノードへの単一のアップリンク送信を示す信号、または前記ユーザ装置が単一のアップリンク送信モードであることを示す信号を、受信することをさらに備える、請求項１０または１１に記載の方法。
【請求項１３】
前記ユーザ装置および前記ネットワークノードの両方が、前記ＩＭ干渉が発生することを検出することが可能である場合、
前記ネットワークノードから単一のアップリンク送信を示す信号を受信することと、
前記ネットワークノードからユーザ装置を単一のアップリンク送信モードに設定するための信号を受信することを、
さらに備える請求項９から１２のいずれか一項に記載の方法。
【請求項１４】
無線通信システムにおける干渉を識別するためのネットワークノード（２０）であって、
メモリ（２２）と、
トランシーバ（２３）と、
前記メモリ（２２）および前記トランシーバ（２３）に結合されたプロセッサ（２１）と、
を備えており、
前記プロセッサ（２１）は
前記トランシーバ（２３）を制御して、スケジューリング情報をユーザ装置に送信し、
前記スケジューリング情報に従って、相互変調（ＩＭ：Ｉｎｔｅｒｍｏｄｕｌａｔｉｏｎ）干渉が発生するかどうかを検出する、
ように構成されるネットワークノード。
【請求項１５】
無線通信システムにおけるネットワークノードの干渉を識別する方法であって、
スケジューリング情報をユーザ装置に送信すること（３０２）と、
前記スケジューリング情報に従って、相互変調（ＩＭ：Ｉｎｔｅｒｍｏｄｕｌａｔｉｏｎ）干渉が発生するかどうかを検出すること（３０４）と、
を備える方法。